(57)【要約】【課題】蓄積した該非判定情報を利用することにより輸出管理の効率を向上する。【解決手段】商品識別情報と、商品等が輸出規制品に該当するか否かを示す該非判定情報とを対応付けて格納する該非判定情報ＤＢと、輸出申請画面を端末に表示させる輸出申請画面表示部と、輸出申請者により入力された一の商品識別情報と、該非判定情報ＤＢ内の複数の商品識別情報のそれぞれとの類似度を算出する類似度算出部と、複数の商品識別情報のうち、一の商品識別情報に類似する複数の類似商品識別情報を選択する類似商品識別情報選択部と、一の類似商品識別情報を輸出対象の商品識別情報として輸出申請者に選択させる輸出対象商品識別情報選択部と、輸出対象の商品識別情報に対応付けられた該非判定情報を該非判定情報ＤＢから抽出する該非判定情報抽出部と、該非判定情報を輸出申請画面に表示させる該非判定情報表示部とを備える輸出管理システムを提供する。【選択図】図１
2005063119.tif 000002
【特許請求の範囲】
【請求項１】
商品又は役務の輸出を管理する輸出管理システムであって、
複数の商品又は役務のそれぞれについて、当該商品又は役務を識別する商品識別情報と、当該商品又は役務が輸出規制品に該当するか否かについての該非判定情報とを対応付けて格納する該非判定情報データベースと、
前記商品又は役務の輸出を申請する輸出申請者に輸出対象の前記商品又は役務の前記商品識別情報を入力させる輸出申請画面を、前記輸出申請者の端末に表示させる輸出申請画面表示部と、
前記輸出申請者により前記輸出申請画面に入力された一の前記商品識別情報と、前記該非判定情報データベースに格納された複数の前記商品識別情報のそれぞれとの類似度を算出する類似度算出部と、
前記複数の前記商品識別情報のうち、前記一の商品識別情報に対する類似度が予め定められたしきい値より高い前記商品識別情報である類似商品識別情報を選択する類似商品識別情報選択部と、
複数の前記類似商品識別情報を前記輸出申請画面に表示させ、前記輸出申請者に一の前記類似商品識別情報を輸出対象の前記商品又は役務の前記商品識別情報として選択させる輸出対象商品識別情報選択部と、
前記輸出対象の商品識別情報を検索キーとして前記該非判定情報データベースを検索し、当該輸出対象の商品識別情報に対応付けられた前記該非判定情報を抽出する該非判定情報抽出部と、
前記輸出対象の商品識別情報に対応付けられた前記該非判定情報を前記輸出申請画面に表示させる該非判定情報表示部と
を備える輸出管理システム。
【請求項２】
前記輸出対象商品識別情報選択部は、
前記複数の類似商品識別情報のうち、前記一の商品識別情報に対する類似度が最大の前記類似商品識別情報を、前記輸出申請者が前記一の商品識別情報を入力した入力欄に表示させ、
前記複数の類似商品識別情報のうち、前記一の商品識別情報に対する類似度が最大でない前記類似商品識別情報を、前記輸出申請者の指示に応じて前記入力欄に上書きさせる
請求項１記載の輸出管理システム。
【請求項３】
前記輸出対象商品識別情報選択部は、前記申請者により前記複数の類似商品識別情報と異なる前記商品識別情報が入力された場合に、当該商品識別情報を前記輸出対象の商品識別情報として選択し、
前記輸出対象の商品識別情報が前記該非判定情報データベースに格納されていない場合に、前記輸出対象の商品識別情報により識別される前記商品又は役務が輸出規制品に該当するか否かについて判定すべき該非判定者の端末に、当該輸出対象の商品識別情報を表示させ、前記該非判定者による該非判定結果を入力させる該非判定結果入力部と、
前記輸出対象の商品識別情報と、前記該非判定結果に基づく前記該非判定情報とを対応付けて前記該非判定情報データベースに格納させる該非判定結果格納部と
を更に備え、
前記該非判定情報表示部は、前記該非判定結果に基づく前記該非判定情報を前記輸出申請画面に表示する
請求項１記載の輸出管理システム。
【請求項４】
前記輸出申請画面表示部は、前記商品又は役務の輸出先国を前記輸出申請者に更に入力させる前記輸出申請画面を前記輸出申請者の端末に表示させ、
輸出対象の前記商品又は役務を識別する前記輸出対象の商品識別情報と、当該商品又は役務の輸出先国を示す輸出先国情報と、前記輸出対象の商品識別情報に対応付けられた前記該非判定情報とを、当該商品又は役務の輸出の可否を審査する輸出審査者の端末に表示させる輸出審査申請表示部と、
輸出対象の前記商品又は役務についての前記輸出対象の商品識別情報、前記輸出先国情報、前記該非判定情報、及び前記輸出審査者による審査結果を対応付けて輸出審査情報として格納する輸出審査情報データベースと、
前記輸出申請画面に新たに入力された前記輸出対象の商品識別情報及び前記輸出先国情報と、前記該非判定情報抽出部により抽出された前記該非判定情報との組を検索キーとして、前記輸出審査情報データベースを検索し、新たに入力された前記輸出対象の商品識別情報及び前記輸出先国情報と、前記該非判定情報抽出部により抽出された前記該非判定情報との組についての審査結果を前記輸出申請画面に表示させる輸出審査情報表示部と
を更に備える請求項１記載の輸出管理システム。
【請求項５】
商品又は役務の輸出を管理する輸出管理システムであって、
複数の商品又は役務のそれぞれについて、当該商品又は役務を識別する商品識別情報と、当該商品又は役務が輸出規制品に該当するか否かについての該非判定情報とを対応付けて格納する該非判定情報データベースと、
前記商品又は役務の輸出を申請する輸出申請者に輸出対象の前記商品又は役務の前記商品識別情報を入力させる輸出申請画面を、前記輸出申請者の端末に表示させる輸出申請画面表示部と、
前記輸出申請者により前記輸出申請画面に入力された輸出対象の前記商品識別情報と、前記該非判定情報データベースに格納された複数の前記商品識別情報のそれぞれとの類似度を算出する類似度算出部と、
前記複数の前記商品識別情報のうち、前記輸出対象の商品識別情報に対する類似度が予め定められたしきい値より高い前記商品識別情報である類似輸出対象商品識別情報を選択する類似輸出対象商品識別情報選択部と、
複数の前記類似輸出対象商品識別情報及び前記複数の類似輸出対象商品識別情報にそれぞれ対応する複数の前記該非判定情報を、前記輸出対象の商品識別情報により識別される前記商品又は役務が輸出規制品に該当するか否かについて判定すべき該非判定者の端末に表示させ、前記該非判定者に、一の前記類似輸出対象商品識別情報を、前記該非判定情報を利用する前記商品又は役務の前記商品識別情報として選択させる該非判定利用識別情報選択部と、
前記輸出対象の商品識別情報を、前記一の類似輸出対象商品識別情報に対応する前記該非判定情報と同一の前記該非判定情報に対応付けて前記該非判定情報データベースに格納させる該非判定結果格納部と
を備える輸出管理システム。
【請求項６】
コンピュータにより商品又は役務の輸出を管理する輸出管理方法であって、
前記コンピュータは、複数の商品又は役務のそれぞれについて、当該商品又は役務を識別する商品識別情報と、当該商品又は役務が輸出規制品に該当するか否かについての該非判定情報とを対応付けて格納する該非判定情報データベースを備え、
前記商品又は役務の輸出を申請する輸出申請者に輸出対象の前記商品又は役務の前記商品識別情報を入力させる輸出申請画面を、前記コンピュータにより前記輸出申請者の端末に表示させる輸出申請画面表示段階と、
前記輸出申請者により前記輸出申請画面に入力された一の前記商品識別情報と、前記該非判定情報データベースに格納された複数の前記商品識別情報のそれぞれとの類似度を前記コンピュータにより算出する類似度算出段階と、
前記複数の前記商品識別情報のうち、前記一の商品識別情報に対する類似度が予め定められたしきい値より高い前記商品識別情報である類似商品識別情報を前記コンピュータにより選択する類似商品識別情報選択段階と、
複数の前記類似商品識別情報を前記輸出申請画面に前記コンピュータにより表示させ、前記輸出申請者に一の前記類似商品識別情報を輸出対象の前記商品又は役務の前記商品識別情報として選択させる輸出対象商品識別情報選択段階と、
前記輸出対象の商品識別情報を検索キーとして前記該非判定情報データベースを前記コンピュータにより検索し、当該輸出対象の商品識別情報に対応付けられた前記該非判定情報を前記コンピュータにより抽出する該非判定情報抽出段階と、
前記輸出対象の商品識別情報に対応付けられた前記該非判定情報を前記コンピュータにより前記輸出申請画面に表示させる該非判定情報表示段階と
を備える輸出管理方法。
【請求項７】
コンピュータにより商品又は役務の輸出を管理する輸出管理方法であって、
前記コンピュータは、複数の商品又は役務のそれぞれについて、当該商品又は役務を識別する商品識別情報と、当該商品又は役務が輸出規制品に該当するか否かについての該非判定情報とを対応付けて格納する該非判定情報データベースを備え、
前記商品又は役務の輸出を申請する輸出申請者に輸出対象の前記商品又は役務の前記商品識別情報を入力させる輸出申請画面を、前記コンピュータにより前記輸出申請者の端末に表示させる輸出申請画面表示段階と、
前記輸出申請者により前記輸出申請画面に入力された輸出対象の前記商品識別情報と、前記該非判定情報データベースに格納された複数の前記商品識別情報のそれぞれとの類似度を前記コンピュータにより算出する類似度算出段階と、
前記複数の前記商品識別情報のうち、前記輸出対象の商品識別情報に対する類似度が予め定められたしきい値より高い前記商品識別情報である類似輸出対象商品識別情報を前記コンピュータにより選択する類似輸出対象商品識別情報選択段階と、
複数の前記類似輸出対象商品識別情報及び前記複数の類似輸出対象商品識別情報にそれぞれ対応する複数の前記該非判定情報を、前記輸出対象の商品識別情報により識別される前記商品又は役務が輸出規制品に該当するか否かについて判定すべき該非判定者の端末に前記コンピュータにより表示させ、前記該非判定者に、一の前記類似輸出対象商品識別情報を、前記該非判定情報を利用する前記商品又は役務の前記商品識別情報として選択させる該非判定利用識別情報選択段階と、
前記輸出対象の商品識別情報を、前記一の類似輸出対象商品識別情報に対応する前記該非判定情報と同一の前記該非判定情報に対応付けて前記該非判定情報データベースに前記コンピュータにより格納させる該非判定結果格納段階と
を備える輸出管理方法。
【請求項８】
コンピュータを、商品又は役務の輸出を管理する輸出管理システムとして機能させる輸出管理プログラムであって、
前記コンピュータは、複数の商品又は役務のそれぞれについて、当該商品又は役務を識別する商品識別情報と、当該商品又は役務が輸出規制品に該当するか否かについての該非判定情報とを対応付けて格納する該非判定情報データベースを備え、
当該輸出管理プログラムは、前記コンピュータを、
前記商品又は役務の輸出を申請する輸出申請者に輸出対象の前記商品又は役務の前記商品識別情報を入力させる輸出申請画面を、前記輸出申請者の端末に表示させる輸出申請画面表示部と、
前記輸出申請者により前記輸出申請画面に入力された一の前記商品識別情報と、前記該非判定情報データベースに格納された複数の前記商品識別情報のそれぞれとの類似度を算出する類似度算出部と、
前記複数の前記商品識別情報のうち、前記一の商品識別情報に対する類似度が予め定められたしきい値より高い前記商品識別情報である類似商品識別情報を選択する類似商品識別情報選択部と、
複数の前記類似商品識別情報を前記輸出申請画面に表示させ、前記輸出申請者に一の前記類似商品識別情報を輸出対象の前記商品又は役務の前記商品識別情報として選択させる輸出対象商品識別情報選択部と、
前記輸出対象の商品識別情報を検索キーとして前記該非判定情報データベースを検索し、当該輸出対象の商品識別情報に対応付けられた前記該非判定情報を抽出する該非判定情報抽出部と、
前記輸出対象の商品識別情報に対応付けられた前記該非判定情報を前記輸出申請画面に表示させる該非判定情報表示部と
して機能させる輸出管理プログラム。
【請求項９】
コンピュータを、商品又は役務の輸出を管理する輸出管理システムとして機能させる輸出管理プログラムであって、
前記コンピュータは、複数の商品又は役務のそれぞれについて、当該商品又は役務を識別する商品識別情報と、当該商品又は役務が輸出規制品に該当するか否かについての該非判定情報とを対応付けて格納する該非判定情報データベースを備え、
当該輸出管理プログラムは、前記コンピュータを、
前記商品又は役務の輸出を申請する輸出申請者に輸出対象の前記商品又は役務の前記商品識別情報を入力させる輸出申請画面を、前記輸出申請者の端末に表示させる輸出申請画面表示部と、
前記輸出申請者により前記輸出申請画面に入力された輸出対象の前記商品識別情報と、前記該非判定情報データベースに格納された複数の前記商品識別情報のそれぞれとの類似度を算出する類似度算出部と、
前記複数の前記商品識別情報のうち、前記輸出対象の商品識別情報に対する類似度が予め定められたしきい値より高い前記商品識別情報である類似輸出対象商品識別情報を選択する類似輸出対象商品識別情報選択部と、
複数の前記類似輸出対象商品識別情報及び前記複数の類似輸出対象商品識別情報にそれぞれ対応する複数の前記該非判定情報を、前記輸出対象の商品識別情報により識別される前記商品又は役務が輸出規制品に該当するか否かについて判定すべき該非判定者の端末に表示させ、前記該非判定者に、一の前記類似輸出対象商品識別情報を、前記該非判定情報を利用する前記商品又は役務の前記商品識別情報として選択させる該非判定利用識別情報選択部と、
前記輸出対象の商品識別情報を、前記一の類似輸出対象商品識別情報に対応する前記該非判定情報と同一の前記該非判定情報に対応付けて前記該非判定情報データベースに格納させる該非判定結果格納部と
して機能させる輸出管理プログラム。
【請求項１０】
請求項８又は請求項９記載の輸出管理プログラムを記録した記録媒体。
【発明の詳細な説明】
【技術分野】
【０００１】
本発明は、輸出管理システム、輸出管理方法、輸出管理プログラム、及び記録媒体に関する。特に本発明は、商品又は役務が輸出規制品に該当するか否かについての該非判定情報を蓄積し、蓄積した該非判定情報を利用することにより輸出管理の効率を向上する輸出管理システム、輸出管理方法、輸出管理プログラム、及び記録媒体に関する。
【背景技術】
【０００２】
商品又は役務を輸出する場合には、当該商品又は役務が輸出規制品に該当するか否かの判定を予め行う。ここで、輸出規制品とは、外為法等によって、輸出等を行うときに経済産業大臣の許可又は承認を義務付けられている商品又は役務等である。そして、当該商品又は役務が輸出規制品に該当する場合に、国家機関から包括的な輸出許可を受けているか否かによって輸出が可能となるか、又は国家機関の個別の輸出許可を取得する必要が生じるかが異なる。
【０００３】
また、実際に輸出する段階においては、当該商品又は役務が輸出規制品に該当するか否かの該非判定書を税関に提出すると共に、過去に税関に届け出をしていない商品又は役務については、輸出規制に関連する各種の質問に対する回答を記載した、該非判定結果の基となるパラメータシートを税関に提出する。
【０００４】
また、輸出規制品を輸出が禁じられた国へ輸出することが無いように万全を期するために、商品又は役務の輸出に先立って社内で承認を得るような体制が整えられている。
【０００５】
従来、商品又は役務の輸出に先立って、商品又は役務を輸出する営業部門と、輸出を管理する輸出管理部門と、当該商品又は役務が技術的観点から輸出規制品に該当するか否かの判定を行う技術部門と、当該商品又は役務の輸出を審査する審査部門との間で、輸出申請書、該非判定依頼書、該非判定書、及びパラメータシート等の各種の書類の遣り取りを行っているのが一般的である。
【０００６】
なお、現時点で先行技術文献の存在を認識していないので、先行技術文献に関する記載を省略する。
【発明の開示】
【発明が解決しようとする課題】
【０００７】
輸出申請書、該非判定依頼書、該非判定書、及びパラメータシート等の各種の書類の遣り取りを多くの部門の間で行う場合、各部門は書類をファイルに綴じて保管するため、過去の該非判定結果や審査結果の活用が困難であった。また、商品又は役務の識別情報等を手書きで記入するため、記載に誤りがある結果無駄な該非判定が行われる場合があった。
【０００８】
そこで本発明は、上記の課題を解決することのできる輸出管理システム、輸出管理方法、輸出管理プログラム、及び記録媒体を提供することを目的とする。この目的は特許請求の範囲における独立項に記載の特徴の組み合わせにより達成される。また従属項は本発明の更なる有利な具体例を規定する。
【課題を解決するための手段】
【０００９】
本発明の第１の形態によると、商品又は役務の輸出を管理する輸出管理システムであって、複数の商品又は役務のそれぞれについて、当該商品又は役務を識別する商品識別情報と、当該商品又は役務が輸出規制品に該当するか否かについての該非判定情報とを対応付けて格納する該非判定情報データベースと、前記商品又は役務の輸出を申請する輸出申請者に輸出対象の前記商品又は役務の前記商品識別情報を入力させる輸出申請画面を、前記輸出申請者の端末に表示させる輸出申請画面表示部と、前記輸出申請者により前記輸出申請画面に入力された一の前記商品識別情報と、前記該非判定情報データベースに格納された複数の前記商品識別情報のそれぞれとの類似度を算出する類似度算出部と、前記複数の前記商品識別情報のうち、前記一の商品識別情報に対する類似度が予め定められたしきい値より高い前記商品識別情報である類似商品識別情報を選択する類似商品識別情報選択部と、複数の前記類似商品識別情報を前記輸出申請画面に表示させ、前記輸出申請者に一の前記類似商品識別情報を輸出対象の前記商品又は役務の前記商品識別情報として選択させる輸出対象商品識別情報選択部と、前記輸出対象の商品識別情報を検索キーとして前記該非判定情報データベースを検索し、当該輸出対象の商品識別情報に対応付けられた前記該非判定情報を抽出する該非判定情報抽出部と、前記輸出対象の商品識別情報に対応付けられた前記該非判定情報を前記輸出申請画面に表示させる該非判定情報表示部とを備える輸出管理システムを提供する。
【００１０】
前記輸出対象商品識別情報選択部は、前記複数の類似商品識別情報のうち、前記一の商品識別情報に対する類似度が最大の前記類似商品識別情報を、前記輸出申請者が前記一の商品識別情報を入力した入力欄に表示させ、前記複数の類似商品識別情報のうち、前記一の商品識別情報に対する類似度が最大でない前記類似商品識別情報を、前記輸出申請者の指示に応じて前記入力欄に上書きさせてもよい。
【００１１】
また、前記輸出対象商品識別情報選択部は、前記申請者により前記複数の類似商品識別情報と異なる前記商品識別情報が入力された場合に、当該商品識別情報を前記輸出対象の商品識別情報として選択し、前記輸出対象の商品識別情報が前記該非判定情報データベースに格納されていない場合に、前記輸出対象の商品識別情報により識別される前記商品又は役務が輸出規制品に該当するか否かについて判定すべき該非判定者の端末に、当該輸出対象の商品識別情報を表示させ、前記該非判定者による該非判定結果を入力させる該非判定結果入力部と、前記輸出対象の商品識別情報と、前記該非判定結果に基づく前記該非判定情報とを対応付けて前記該非判定情報データベースに格納させる該非判定結果格納部とを更に備え、前記該非判定情報表示部は、前記該非判定結果に基づく前記該非判定情報を前記輸出申請画面に表示してもよい。
【００１２】
また、前記輸出申請画面表示部は、前記商品又は役務の輸出先国を前記輸出申請者に更に入力させる前記輸出申請画面を前記輸出申請者の端末に表示させ、輸出対象の前記商品又は役務を識別する前記輸出対象の商品識別情報と、当該商品又は役務の輸出先国を示す輸出先国情報と、前記輸出対象の商品識別情報に対応付けられた前記該非判定情報とを、当該商品又は役務の輸出の可否を審査する輸出審査者の端末に表示させる輸出審査申請表示部と、輸出対象の前記商品又は役務についての前記輸出対象の商品識別情報、前記輸出先国情報、前記該非判定情報、及び前記輸出審査者による審査結果を対応付けて輸出審査情報として格納する輸出審査情報データベースと、前記輸出申請画面に新たに入力された前記輸出対象の商品識別情報及び前記輸出先国情報と、前記該非判定情報抽出部により抽出された前記該非判定情報との組を検索キーとして、前記輸出審査情報データベースを検索し、新たに入力された前記輸出対象の商品識別情報及び前記輸出先国情報と、前記該非判定情報抽出部により抽出された前記該非判定情報との組についての審査結果を前記輸出申請画面に表示させる輸出審査情報表示部とを更に備えてもよい。
【００１３】
本発明の第２の形態によると、商品又は役務の輸出を管理する輸出管理システムであって、複数の商品又は役務のそれぞれについて、当該商品又は役務を識別する商品識別情報と、当該商品又は役務が輸出規制品に該当するか否かについての該非判定情報とを対応付けて格納する該非判定情報データベースと、前記商品又は役務の輸出を申請する輸出申請者に輸出対象の前記商品又は役務の前記商品識別情報を入力させる輸出申請画面を、前記輸出申請者の端末に表示させる輸出申請画面表示部と、前記輸出申請者により前記輸出申請画面に入力された輸出対象の前記商品識別情報と、前記該非判定情報データベースに格納された複数の前記商品識別情報のそれぞれとの類似度を算出する類似度算出部と、前記複数の前記商品識別情報のうち、前記輸出対象の商品識別情報に対する類似度が予め定められたしきい値より高い前記商品識別情報である類似輸出対象商品識別情報を選択する類似輸出対象商品識別情報選択部と、複数の前記類似輸出対象商品識別情報及び前記複数の類似輸出対象商品識別情報にそれぞれ対応する複数の前記該非判定情報を、前記輸出対象の商品識別情報により識別される前記商品又は役務が輸出規制品に該当するか否かについて判定すべき該非判定者の端末に表示させ、前記該非判定者に、一の前記類似輸出対象商品識別情報を、前記該非判定情報を利用する前記商品又は役務の前記商品識別情報として選択させる該非判定利用識別情報選択部と、前記輸出対象の商品識別情報を、前記一の類似輸出対象商品識別情報に対応する前記該非判定情報と同一の前記該非判定情報に対応付けて前記該非判定情報データベースに格納させる該非判定結果格納部とを備える輸出管理システムを提供する。
【００１４】
本発明の第３の形態によると、コンピュータにより商品又は役務の輸出を管理する輸出管理方法であって、前記コンピュータは、複数の商品又は役務のそれぞれについて、当該商品又は役務を識別する商品識別情報と、当該商品又は役務が輸出規制品に該当するか否かについての該非判定情報とを対応付けて格納する該非判定情報データベースを備え、前記商品又は役務の輸出を申請する輸出申請者に輸出対象の前記商品又は役務の前記商品識別情報を入力させる輸出申請画面を、前記コンピュータにより前記輸出申請者の端末に表示させる輸出申請画面表示段階と、前記輸出申請者により前記輸出申請画面に入力された一の前記商品識別情報と、前記該非判定情報データベースに格納された複数の前記商品識別情報のそれぞれとの類似度を前記コンピュータにより算出する類似度算出段階と、前記複数の前記商品識別情報のうち、前記一の商品識別情報に対する類似度が予め定められたしきい値より高い前記商品識別情報である類似商品識別情報を前記コンピュータにより選択する類似商品識別情報選択段階と、複数の前記類似商品識別情報を前記輸出申請画面に前記コンピュータにより表示させ、前記輸出申請者に一の前記類似商品識別情報を輸出対象の前記商品又は役務の前記商品識別情報として選択させる輸出対象商品識別情報選択段階と、前記輸出対象の商品識別情報を検索キーとして前記該非判定情報データベースを前記コンピュータにより検索し、当該輸出対象の商品識別情報に対応付けられた前記該非判定情報を前記コンピュータにより抽出する該非判定情報抽出段階と、前記輸出対象の商品識別情報に対応付けられた前記該非判定情報を前記コンピュータにより前記輸出申請画面に表示させる該非判定情報表示段階とを備える輸出管理方法を提供する。
【００１５】
本発明の第４の形態によると、コンピュータにより商品又は役務の輸出を管理する輸出管理方法であって、前記コンピュータは、複数の商品又は役務のそれぞれについて、当該商品又は役務を識別する商品識別情報と、当該商品又は役務が輸出規制品に該当するか否かについての該非判定情報とを対応付けて格納する該非判定情報データベースを備え、前記商品又は役務の輸出を申請する輸出申請者に輸出対象の前記商品又は役務の前記商品識別情報を入力させる輸出申請画面を、前記コンピュータにより前記輸出申請者の端末に表示させる輸出申請画面表示段階と、前記輸出申請者により前記輸出申請画面に入力された輸出対象の前記商品識別情報と、前記該非判定情報データベースに格納された複数の前記商品識別情報のそれぞれとの類似度を前記コンピュータにより算出する類似度算出段階と、前記複数の前記商品識別情報のうち、前記輸出対象の商品識別情報に対する類似度が予め定められたしきい値より高い前記商品識別情報である類似輸出対象商品識別情報を前記コンピュータにより選択する類似輸出対象商品識別情報選択段階と、複数の前記類似輸出対象商品識別情報及び前記複数の類似輸出対象商品識別情報にそれぞれ対応する複数の前記該非判定情報を、前記輸出対象の商品識別情報により識別される前記商品又は役務が輸出規制品に該当するか否かについて判定すべき該非判定者の端末に前記コンピュータにより表示させ、前記該非判定者に、一の前記類似輸出対象商品識別情報を、前記該非判定情報を利用する前記商品又は役務の前記商品識別情報として選択させる該非判定利用識別情報選択段階と、前記輸出対象の商品識別情報を、前記一の類似輸出対象商品識別情報に対応する前記該非判定情報と同一の前記該非判定情報に対応付けて前記該非判定情報データベースに前記コンピュータにより格納させる該非判定結果格納段階とを備える輸出管理方法を提供する。
【００１６】
本発明の第５の形態によると、コンピュータを、商品又は役務の輸出を管理する輸出管理システムとして機能させる輸出管理プログラムであって、前記コンピュータは、複数の商品又は役務のそれぞれについて、当該商品又は役務を識別する商品識別情報と、当該商品又は役務が輸出規制品に該当するか否かについての該非判定情報とを対応付けて格納する該非判定情報データベースを備え、当該輸出管理プログラムは、前記コンピュータを、前記商品又は役務の輸出を申請する輸出申請者に輸出対象の前記商品又は役務の前記商品識別情報を入力させる輸出申請画面を、前記輸出申請者の端末に表示させる輸出申請画面表示部と、前記輸出申請者により前記輸出申請画面に入力された一の前記商品識別情報と、前記該非判定情報データベースに格納された複数の前記商品識別情報のそれぞれとの類似度を算出する類似度算出部と、前記複数の前記商品識別情報のうち、前記一の商品識別情報に対する類似度が予め定められたしきい値より高い前記商品識別情報である類似商品識別情報を選択する類似商品識別情報選択部と、複数の前記類似商品識別情報を前記輸出申請画面に表示させ、前記輸出申請者に一の前記類似商品識別情報を輸出対象の前記商品又は役務の前記商品識別情報として選択させる輸出対象商品識別情報選択部と、前記輸出対象の商品識別情報を検索キーとして前記該非判定情報データベースを検索し、当該輸出対象の商品識別情報に対応付けられた前記該非判定情報を抽出する該非判定情報抽出部と、前記輸出対象の商品識別情報に対応付けられた前記該非判定情報を前記輸出申請画面に表示させる該非判定情報表示部として機能させる輸出管理プログラムを提供する。
【００１７】
本発明の第６の形態によると、コンピュータを、商品又は役務の輸出を管理する輸出管理システムとして機能させる輸出管理プログラムであって、前記コンピュータは、複数の商品又は役務のそれぞれについて、当該商品又は役務を識別する商品識別情報と、当該商品又は役務が輸出規制品に該当するか否かについての該非判定情報とを対応付けて格納する該非判定情報データベースを備え、当該輸出管理プログラムは、前記コンピュータを、前記商品又は役務の輸出を申請する輸出申請者に輸出対象の前記商品又は役務の前記商品識別情報を入力させる輸出申請画面を、前記輸出申請者の端末に表示させる輸出申請画面表示部と、前記輸出申請者により前記輸出申請画面に入力された輸出対象の前記商品識別情報と、前記該非判定情報データベースに格納された複数の前記商品識別情報のそれぞれとの類似度を算出する類似度算出部と、前記複数の前記商品識別情報のうち、前記輸出対象の商品識別情報に対する類似度が予め定められたしきい値より高い前記商品識別情報である類似輸出対象商品識別情報を選択する類似輸出対象商品識別情報選択部と、複数の前記類似輸出対象商品識別情報及び前記複数の類似輸出対象商品識別情報にそれぞれ対応する複数の前記該非判定情報を、前記輸出対象の商品識別情報により識別される前記商品又は役務が輸出規制品に該当するか否かについて判定すべき該非判定者の端末に表示させ、前記該非判定者に、一の前記類似輸出対象商品識別情報を、前記該非判定情報を利用する前記商品又は役務の前記商品識別情報として選択させる該非判定利用識別情報選択部と、前記輸出対象の商品識別情報を、前記一の類似輸出対象商品識別情報に対応する前記該非判定情報と同一の前記該非判定情報に対応付けて前記該非判定情報データベースに格納させる該非判定結果格納部として機能させる輸出管理プログラムを提供する。
【００１８】
本発明の第７の形態によると、上記に示した輸出管理プログラムを記録した記録媒体を提供する。
【００１９】
なお、上記の発明の概要は、本発明の必要な特徴の全てを列挙したものではなく、これらの特徴群のサブコンビネーションもまた、発明となりうる。
【発明の効果】
【００２０】
本発明によれば、蓄積した該非判定情報を利用することにより輸出管理の効率を向上する輸出管理システム、輸出管理方法、輸出管理プログラム、及び記録媒体を提供することができる。
【発明を実施するための最良の形態】
【００２１】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００２２】
図１は、本実施形態に係る輸出管理システム１０の構成を示す。本実施形態に係る輸出管理システム１０は、商品又は役務の輸出が申請される毎に、当該商品又は役務が輸出規制品に該当するか否かについての該非判定情報を該非判定情報ＤＢ１５０（ＤＢはデータベースの略）に蓄積すると共に、当該商品又は役務を輸出する可否の審査結果を示す輸出審査情報を輸出審査情報ＤＢ１７０に蓄積していく。そして、次に同一又は類似の商品又は役務を輸出する際にこれらの情報を活用することにより、輸出管理の効率を高めることを目的とする。
【００２３】
輸出管理システム１０は、商品又は役務の輸出を申請する輸出申請者が使用する１又は複数の輸出申請者端末１００と、輸出対象の商品又は役務が輸出規制品に該当するか否かについて判定すべき該非判定者が使用する１又は複数の該非判定者端末１４６と、輸出対象の商品又は役務の輸出の可否を審査する輸出審査者が使用する１又は複数の輸出審査者端末１６６と、輸出対象の商品又は役務を出荷する際に必要となる書類を出力する１又は複数の出荷書類出力端末１８２とに接続され、商品又は役務の輸出を管理する。
【００２４】
輸出管理システム１０は、輸出申請者端末１００に輸出申請画面を表示して輸出申請に用いる輸出申請情報を輸出申請者に入力させる輸出申請処理部１１０と、商品又は役務の該非判定が行われていない場合に該非判定を依頼する該非判定依頼情報を輸出申請処理部１１０から取得し格納する該非判定依頼ＤＢ１３０と、輸出申請情報を輸出申請処理部１１０から取得し格納する輸出申請ＤＢ１３２と、該非判定者端末１４６に該非判定依頼情報を表示して該非判定結果を該非判定者に入力させる該非判定結果入力部１４２と、輸出対象の商品又は役務が輸出規制品に該当するか否かについての該非判定情報を格納する該非判定情報ＤＢ１５０と、該非判定結果の詳細を示すパラメータシートを格納するパラメータシートＤＢ１５２と、輸出申請情報を輸出審査者端末１６６に表示して審査結果を輸出審査者に入力させる輸出審査処理部１６０と、審査結果を含む輸出審査情報を格納する輸出審査情報ＤＢ１７０と、輸出対象の商品又は役務を出荷する際に必要となるインボイス、該非判定書、及びパラメータシート等の出荷書類を出荷書類出力端末１８２に出力する出荷書類出力部１８０とを備える。
【００２５】
より具体的には、該非判定情報ＤＢ１５０は、以前に該非判定が行われた複数の商品又は役務のそれぞれについて、当該商品又は役務を識別する商品識別情報と、該非判定情報とを対応付けて格納する。また、輸出審査情報ＤＢ１７０は、以前に輸出審査が行われた輸出対象の商品又は役務についての商品識別情報、輸出先国情報、該非判定情報、及び輸出審査者による輸出審査結果を対応付けて輸出審査情報として格納する。
【００２６】
輸出申請処理部１１０は、輸出申請画面表示部１１２と、類似度算出部１１４と、類似商品識別情報選択部１１６と、輸出対象商品識別情報選択部１１８と、該非判定情報抽出部１２０と、該非判定情報表示部１２２と、輸出審査情報抽出部１２４と、輸出審査情報表示部１２６とを有する。
輸出申請画面表示部１１２は、輸出対象の商品又は役務の商品識別情報と商品又は役務の輸出先国とを入力させる輸出申請画面を、輸出申請者端末１００に表示させる。輸出担当者は、表示された輸出申請画面に、輸出申請者の識別情報、顧客情報、輸出対象となる商品又は役務を識別する商品識別情報、及び、輸出管理上の確認事項の回答等を入力する。ここで、商品識別情報とは、商品又は役務の型番や型式を示す情報であってよく、商品又は役務の名称を示す情報であってもよい。輸出申請者により輸出が申請されると、輸出申請画面表示部１１２は、輸出申請画面に入力された輸出申請情報を輸出申請ＤＢ１３２に格納する。
【００２７】
類似度算出部１１４は、該非判定情報ＤＢ１５０に格納された複数の商品識別情報のそれぞれを順次読み出し、輸出申請者により輸出申請画面に入力された一の商品識別情報と、該非判定情報ＤＢ１５０に格納された複数の商品識別情報のそれぞれとの類似度を算出する。類似商品識別情報選択部１１６は、複数の商品識別情報のうち、一の商品識別情報に対する類似度が予め定められたしきい値より高い商品識別情報である類似商品識別情報を選択する。
【００２８】
輸出対象商品識別情報選択部１１８は、類似商品識別情報選択部１１６により選択された複数の類似商品識別情報を輸出申請画面に表示させる。そして、輸出対象商品識別情報選択部１１８は、輸出申請者に一の類似商品識別情報を輸出対象の商品又は役務の商品識別情報として選択させる。ここで輸出対象商品識別情報選択部１１８は、申請者により複数の類似商品識別情報と異なる商品識別情報が入力された場合に、当該商品識別情報を輸出対象の商品識別情報として選択する。すなわち例えば、輸出申請者が元々入力した商品識別情報を強制的に選択した場合や、いずれかの類似商品識別情報を書き換えた場合等においては、輸出対象商品識別情報選択部１１８は、類似商品識別情報選択部１１６により選択された複数の類似商品識別情報のいずれとも異なる商品識別情報を輸出対象の商品識別情報として選択する。
【００２９】
該非判定情報抽出部１２０は、輸出対象商品識別情報選択部１１８により選択された輸出対象の商品識別情報を検索キーとして該非判定情報ＤＢ１５０を検索し、当該輸出対象の商品識別情報に対応付けられた該非判定情報を抽出する。該非判定情報表示部１２２は、輸出対象の商品識別情報に対応付けられた該非判定情報を輸出申請画面に表示させる。ここで当該輸出対象の商品識別情報に対応付けられた該非判定情報が該非判定情報ＤＢ１５０に格納されていない場合、該非判定情報表示部１２２は、該非判定依頼画面を輸出申請者端末１００に表示して該非判定依頼情報を輸出申請者に入力させ、該非判定依頼ＤＢ１３０を介して該非判定処理部１４０へ送信する。
【００３０】
輸出審査情報抽出部１２４は、輸出申請画面に新たに入力された輸出対象の商品識別情報及び輸出先国情報と、該非判定情報抽出部１２０により抽出された該非判定情報との組を検索キーとして輸出審査情報ＤＢ１７０を検索し、既に輸出審査情報ＤＢ１７０に格納された以前の輸出審査情報を抽出する。輸出審査情報表示部１２６は、輸出審査情報抽出部１２４により抽出された輸出審査情報に基づいて、新たに入力された輸出対象の商品識別情報及び輸出先国情報と該非判定情報抽出部１２０により抽出された該非判定情報との組についての審査結果を輸出申請画面に表示させる。
【００３１】
該非判定処理部１４０は、該非判定結果入力部１４２と、該非判定結果格納部１４４とを有する。該非判定結果入力部１４２は、該非判定依頼ＤＢ１３０に格納された該非判定依頼情報を読み出す。次に、該非判定結果入力部１４２は、輸出対象の商品識別情報が該非判定情報ＤＢ１５０に格納されていない場合に、該非判定者端末１４６に当該輸出対象の商品識別情報を表示させる。そして、該非判定結果入力部１４２は、輸出対象の商品識別情報により識別される商品又は役務が輸出規制品に該当するか否かを判定すべき該非判定者による該非判定結果を入力させる。該非判定結果格納部１４４は、輸出対象の商品識別情報と、該非判定結果に基づく該非判定情報とを対応付けて該非判定情報ＤＢ１５０に格納させる。輸出申請者が輸出申請画面を入力した時点で該非判定が行われていない場合、該非判定情報ＤＢ１５０に該非判定情報が格納された後に当該輸出申請画面がアクセスされると、該非判定情報表示部１２２は、該非判定結果に基づく当該該非判定情報を当該輸出申請画面に表示する。これにより該非判定情報表示部１２２は、当該該非判定情報を当該輸出申請画面上に反映させる。
【００３２】
また、該否該非判定処理部１４０は、該非判定に際し類似の該非判定結果を該否該非判定情報ＤＢ１５０から取得して該非判定者に参照させる該非判定情報参照部１９０を有してもよい。より具体的には、該非判定情報参照部１９０は、類似度算出部１１４と同様の機能を有する類似度算出部と、類似商品識別情報選択部１１６と同様の機能を有する類似輸出対象商品識別情報選択部と、該非判定利用識別情報選択部とを含んでよい。
該非判定情報参照部１９０内の類似度算出部は、輸出申請者により輸出申請画面に入力された、該非判定依頼情報に含まれる輸出対象の商品識別情報と、該否該非判定情報ＤＢ１５０に格納された複数の商品識別情報のそれぞれとの類似度を、類似度算出部１１４と同様に算出する。類似輸出対象商品識別情報選択部は、複数の商品識別情報のうち、輸出対象の商品識別情報に対する類似度が予め定められたしきい値より高い商品識別情報である類似輸出対象商品識別情報を、類似商品識別情報選択部１１６と同様に選択する。該非判定利用者識別情報選択部は、複数の類似輸出対象商品識別情報及び複数の類似輸出対象商品識別情報にそれぞれ対応する複数の該非判定情報を、該非判定者の該否該非判定者端末１４６に表示させる。そして、該非判定利用識別情報選択部は、該非判定者に、一の類似輸出対象商品識別情報を、該非判定情報を利用する商品又は役務の商品識別情報として選択させる。
そして、該否該非判定結果格納部１４４は、輸出対象の商品識別情報を、該非判定者に選択された類似輸出対象商品識別情報に対応する該非判定情報と同一の該非判定情報に対応付けて、該否該非判定情報ＤＢ１５０に格納させる。
以上に示したように、該非判定情報参照部１９０は、以前に該非判定が行われた商品又は役務の該非判定結果を該非判定者に参照させることにより、商品識別情報が類似する商品又は役務の該非判定結果に基づいて該非判定者による該非判定を補助することができる。
【００３３】
輸出審査処理部１６０は、輸出審査申請表示部１６２と、輸出審査結果格納部１６４とを有する。輸出審査申請表示部１６２は、輸出対象の商品又は役務を識別する輸出対象の商品識別情報と、当該商品又は役務の輸出先国を示す輸出先国情報と、輸出対象の商品識別情報に対応付けられた該非判定情報とを、輸出審査者端末１６６に表示させる。輸出審査結果格納部１６４は、輸出対象の商品識別情報、輸出先国情報、該非判定情報、及び輸出審査者による審査結果を対応付けて輸出審査情報として輸出審査情報ＤＢ１７０に格納させる。
【００３４】
また、輸出審査処理部１６０は、輸出審査情報抽出部１２４及び輸出審査情報表示部１２６と同様の機能を有する輸出審査情報表示部１９２を有してもよい。輸出審査情報表示部１９２は、輸出申請画面に新たに入力された輸出対象の商品識別情報及び輸出先国情報と、該非判定情報抽出部により抽出された該非判定情報との組を検索キーとして、輸出審査情報データベースを検索し、新たに入力された輸出対象の商品識別情報及び輸出先国情報と、該非判定情報抽出部により抽出された該非判定情報との組についての審査結果を輸出申請画面に表示させる。
これにより輸出審査情報表示部１９２は、輸出審査者が以前の審査結果に基づいて輸出審査を行うことを補助することができる。
【００３５】
以上に示した輸出管理システム１０によれば、商品又は役務の輸出が申請される毎に、該非判定情報及び審査結果を輸出審査情報ＤＢ１７０に蓄積し、新たに同一又は類似の商品又は役務を輸出する際にこれらの情報を活用することができる。そして、輸出申請者により入力された商品識別情報に対してしきい値以上の類似度を有する類似商品識別情報を輸出申請画面に表示して、表示した類似商品識別情報から輸出対象の商品識別情報を選択させることにより、商品識別情報が誤って入力される結果無駄な該非判定等が行なわれるのを防ぐことができる。
【００３６】
図２及び図３は、本実施形態に係る輸出申請ＤＢ１３２に格納される情報を表形式により示す。ここで輸出審査情報ＤＢ１７０は、輸出申請ＤＢ１３２と略同一のデータ形式を有するため、以下相違点を除き説明を省略する。
輸出申請ＤＢ１３２は、輸出申請画面に入力された輸出申請情報を格納し、該非判定又は輸出審査が行われた場合に該非判定結果又は輸出審査情報に基づき更新される。輸出申請ＤＢ１３２は、輸出申請者及び申請承認者と、顧客情報と、商品情報と、輸出管理上の確認結果と、輸出審査者及び輸出審査責任者と、審査結果とを対応付けて格納する。
【００３７】
輸出申請者フィールドは、輸出申請者によって輸出申請画面表示部１１２を介して入力され、当該輸出申請情報について輸出申請を行った輸出申請者の氏名又は社員番号等を格納する。申請承認者フィールドは、輸出申請者が輸出申請を行うことを承認する申請承認者によって輸出申請画面表示部１１２を介して入力され、申請承認者の氏名又は社員番号等を格納する。
【００３８】
顧客情報フィールドは、輸出申請者によって輸出申請画面表示部１１２を介して入力され、当該輸出申請情報における輸出対象の顧客について、当該顧客の顧客名、最終的に商品又は役務を使用する最終顧客名、及び、当該商品又は役務の最終的な輸出先となる最終仕向地の各情報を格納する。
【００３９】
商品情報フィールドは、当該輸出申請情報における輸出対象の商品又は役務について、当該商品又は役務の型式、製品名、該非判定情報、及び税関届出の済／未済の各情報を格納する。ここで、商品又は役務の型式及び製品名については輸出申請者によって輸出申請画面表示部１１２を介して入力され、該非判定情報及び税関届出については該非判定者による該非判定結果に基づいて該非判定結果格納部１４４により格納される。本実施形態に係る輸出管理システム１０は、商品又は役務の型式又は製品名を、商品識別情報として用いる。
【００４０】
輸出管理上の確認結果フィールドは、顧客及び最終顧客が国又は民間企業のいずれであるか、最終的な輸出先国が協調国、懸念国、及びその他の国のいずれに該当するか、及び、輸出申請者により入力された商品の使途を格納する。これらの情報は、輸出申請者によって輸出申請画面表示部１１２を介して入力された情報に基づいて、輸出申請画面表示部１１２により格納される。
【００４１】
輸出審査者フィールドは、輸出審査者によって輸出審査申請表示部１６２を介して入力され、当該輸出申請情報について輸出審査を行った輸出審査者の氏名又は社員番号等を格納する。輸出審査責任者フィールドは、輸出審査者が行った輸出審査結果を承認する輸出審査責任者によって輸出審査申請表示部１６２を介して入力され、輸出審査責任者の氏名又は社員番号等を格納する。
【００４２】
輸出審査結果フィールドは、輸出審査者によって輸出審査申請表示部１６２を介して入力された輸出審査結果に基づく許可の有無を示す情報を格納する。
【００４３】
図４及び図５は、本実施形態に係る該非判定情報ＤＢ１５０に格納される情報を表形式により示す。該非判定情報ＤＢ１５０は、既に該非判定が行われた複数の商品又は役務のそれぞれについて、当該商品又は役務の型式、製品名、メーカ名、及びメーカ型式等の商品識別情報と、判定依頼先の情報と、輸出管理受付の情報と、該非判定結果と、税関届出の情報と、パラメータシートの識別情報とを対応付けて格納する。
【００４４】
商品又は役務の型式及び製品名の各フィールドについては、輸出申請ＤＢ１３２と同様であるため説明を省略する。メーカ名フィールド及びメーカ型式フィールドは、輸出申請者によって該非判定情報表示部１２２を介して該非判定依頼画面に入力され、他のメーカから購入した商品又は役務を輸出する場合に、当該メーカの名称及び当該メーカにおける当該商品又は役務の型式を格納する。
【００４５】
判定依頼先フィールドは、輸出申請者によって該非判定情報表示部１２２を介して該非判定依頼画面に入力され、当該商品又は役務の判定を依頼する依頼先の技術部門を格納する。
【００４６】
輸出管理受付フィールドは、該非判定依頼を受け付けた輸出管理部門によって入力され、輸出管理部門の担当者の氏名又は社員番号等と、受付日等とを格納する。輸出管理部門の担当者は、該非判定者端末１４６を介して該非判定依頼を一旦受け付けた後、判定依頼先フィールドに格納された判定依頼先の妥当性を判断し、妥当であれば当該技術部門の該非判定者の該非判定者端末１４６に、妥当でなければ他の技術部門の該非判定者の該非判定者端末１４６に該非判定情報を転送させる。
【００４７】
該非判定結果フィールドは、該非判定者又は該非判定責任者により該非判定結果入力部１４２を介して入力され、当該該非判定依頼情報で指定される商品又は役務についての該非判定情報、貨物判定法令、貨物判定法令の判定根拠項番、役務判定法令、役務判定法令の判定根拠項番、判定責任者、及び該非判定責任者を格納する。
【００４８】
該非判定情報フィールドは、該非判定者による該非判定の結果に基づいて、商品又は役務が貨物判定法令又は役務判定法令等の法令を根拠として輸出規制品に該当しているか否かを示す該非判定情報を格納する。貨物判定法令フィールド及び役務判定法令フィールドは、当該商品又は役務の該非判定において適用される法令を識別する情報を格納する。役務判定法令又は役務判定法令の判定根拠項番フィールドは、これらの法令のうち当該商品又は役務の該非判定に用いた根拠法文等の項番を格納する。
【００４９】
判定責任者フィールドは、技術部門の該非判定者による該非判定結果を承認する該非判定責任者により入力され、該非判定責任者の氏名又は社員番号等を格納する。該非判定者フィールドは、該非判定者の氏名又は社員番号等を格納する。
【００５０】
税関届出フィールドは、輸出管理部門の担当者により入力され、該非判定結果及び／又はパラメータシートが既に税関に届出されているか否かを示す税関届出情報を格納する。パラメータシートの識別情報フィールドは、パラメータシートＤＢ１５２に格納されたパラメータシートのうち，当該該非判定結果の基となったパラメータシートを識別する識別情報を格納する。
【００５１】
図６は、本実施形態に係る輸出管理システム１０の動作フローを示す。
まず、輸出申請画面表示部１１２は、輸出申請画面を輸出申請者の輸出申請者端末１００に表示させる（ステップＳ６００）。次に、輸出申請画面表示部１１２は、輸出申請者により輸出申請画面に入力された輸出申請情報を輸出申請者端末１００から受信する（Ｓ６０５）。次に、類似度算出部１１４は、輸出申請者により輸出申請画面に入力された一の商品識別情報と、該非判定情報ＤＢ１５０に格納された複数の商品識別情報のそれぞれとの類似度を算出する（Ｓ６１０）。ここで、類似度算出部１１４は、一の商品識別情報と他の商品識別情報との類似度を、例えばこれらの商品識別情報を構成する各文字同士を比較し、どれだけの割合の文字同士が一致するかに基づいて定めてよい。また、商品識別情報が、主要な商品又は役務を識別する主商品識別情報と、主要な商品又は役務から派生した派生商品又は派生役務である場合に同一の主要商品又は主要役務から派生した派生商品又は派生役務同士を識別する派生番号とからなる場合において、類似度算出部１１４は、輸出申請者により入力された一の商品識別情報と主商品識別情報が同一であり、派生番号が異なる他の商品識別情報との類似度を、当該一の商品識別情報と主要商品識別情報が異なる他の商品識別情報との類似度と比較しより大きな値としてもよい。
【００５２】
次に、類似商品識別情報選択部１１６は、複数の商品識別情報のうち、一の商品識別情報に対する類似度がしきい値より高い商品識別情報である類似商品識別情報を、輸出対象の商品識別情報の候補として選択する（Ｓ６１５）。次に、輸出対象商品識別情報選択部１１８は、選択された複数の類似商品識別情報を輸出申請者端末１００に表示させ、輸出申請者に一の類似商品識別情報を輸出対象の商品又は役務の商品識別情報として選択させる（Ｓ６２０）。次に、該非判定情報抽出部１２０は、輸出対象商品識別情報選択部１１８により選択された輸出対象の商品識別情報に対応付けられた該非判定情報を、該非判定情報ＤＢ１５０から抽出する（Ｓ６２５）。
【００５３】
当該輸出対象の商品識別情報に対応付けられた該非判定情報が該非判定情報ＤＢ１５０に格納されていない場合（Ｓ６３０：Ｎｏ）、該非判定情報表示部１２２は、該非判定依頼画面を輸出申請者端末１００に表示して該非判定を依頼するために要する情報を輸出申請者に入力させ、申請承認者が使用する輸出申請者端末１００上で申請承認者に承認させる。そして該非判定情報表示部１２２は、この情報を含む該非判定依頼情報を該非判定依頼ＤＢ１３０を介して該非判定処理部１４０へ送信する。
【００５４】
該非判定依頼情報を受けて該非判定結果入力部１４２は、該非判定者端末１４６に当該輸出対象の商品識別情報を含む該非判定依頼情報を表示させ（Ｓ６３５）、輸出対象の商品識別情報により識別される商品又は役務が輸出規制品に該当するか否かを判定すべき該非判定者による該非判定結果を入力させる（Ｓ６４０）。次に該非判定結果入力部１４２は、該非判定依頼情報及び該非判定結果を判定責任者が使用する該非判定者端末１４６上で判定責任者に承認させる。次に該非判定結果入力部１４２は、輸出管理部門の担当者が使用する該非判定者端末１４６上で輸出管理部門による該非判定情報の追加及び輸出管理部門の責任者が使用する該非判定者端末１４６上での承認をそれぞれ行わせる。そして、該非判定結果格納部１４４は、輸出対象の商品識別情報と、該非判定結果に基づく該非判定情報とを対応付けて該非判定情報ＤＢ１５０に格納させると共に、輸出申請ＤＢ１３２内の輸出申請情報に反映させる（Ｓ６４５）。また該非判定結果格納部１４４は、該非判定結果の基となったパラメータシートをパラメータシートＤＢ１５２に格納させる。ここで該非判定結果格納部１４４は、輸出対象の商品又は役務についての該非判定結果を該非判定情報ＤＢ１５０に格納したことを示すメールを、当該商品又は役務の輸出を申請した輸出申請者にメールで通知してもよい。
【００５５】
次に、該非判定情報表示部１２２は、輸出対象の商品識別情報に対応付けられた該非判定情報を輸出申請画面に表示させる（Ｓ６５０）。次に、輸出審査情報抽出部１２４は、輸出申請画面に新たに入力された輸出対象の商品識別情報及び輸出先国情報と、該非判定情報抽出部１２０により抽出された該非判定情報とを含む組を検索キーとして輸出審査情報ＤＢ１７０を検索し、既に輸出審査情報ＤＢ１７０に格納された、以前の輸出審査情報を抽出する（Ｓ６５５）。ここで、輸出審査情報抽出部１２４は、輸出申請画面に新たに入力された顧客名又は最終顧客名を更に含む組を検索キーとして輸出審査情報ＤＢ１７０を検索してよい。なお、輸出審査情報抽出部１２４は、当該検索キーに一致する輸出審査情報に加え、当該検索キーと予め定められたしきい値以上の類似度を有する輸出審査情報を抽出してよい。
【００５６】
輸出審査情報表示部１２６は、輸出審査情報抽出部１２４により抽出された輸出審査情報に基づいて、新たに入力された輸出対象の商品識別情報及び輸出先国情報と該非判定情報抽出部１２０により抽出された該非判定情報との組についての審査結果を輸出申請画面に表示させる（Ｓ６６０）。輸出申請画面に表示された以前の審査結果を見て、輸出申請者は、商品又は役務の輸出が許可されない輸出申請を予め取り下げることもできる。
【００５７】
次に、輸出審査申請表示部１６２は、輸出申請ＤＢ１３２に格納された輸出申請情報を取得し、輸出対象の商品又は役務を識別する輸出対象の商品識別情報と、当該商品又は役務の輸出先国を示す輸出先国情報と、輸出対象の商品識別情報に対応付けられた該非判定情報とを含む輸出審査申請画面を該非判定者端末１４６に表示させ（Ｓ６６０）、審査結果を輸出審査者に入力させる（Ｓ６６５）。ここで輸出審査申請表示部１６２は、輸出申請ＤＢ１３２に格納された該非判定情報又は該非判定結果と、最終仕向地として格納された輸出先国との少なくとも１つに基づいて、輸出審査者を選択してよい。すなわち例えば、非該当品の輸出や協調国への輸出は、例えば営業本部長等の第１の輸出審査者を選択し、該当品の輸出や懸念国への輸出は、例えば輸出管理本部長等の第２の輸出審査者を選択し、非該当品の特定の懸念国への輸出は、例えば常務会等の第３の輸出審査者を選択してもよい。
【００５８】
次に輸出審査申請表示部１６２は、輸出審査申請画面及び審査結果を輸出審査責任者が使用する輸出審査者端末１６６上に表示させ、輸出審査責任者に承認させる。次に、輸出審査結果格納部１６４は、輸出対象の商品識別情報、輸出先国情報、該非判定情報、及び輸出審査者による審査結果を対応付けて輸出審査情報として輸出審査情報ＤＢ１７０に格納させると共に、審査結果を輸出申請ＤＢ１３２内の輸出申請情報に反映させる（Ｓ６７０）。輸出審査を終えた後に輸出申請画面のアクセスを受けると、輸出申請画面表示部１１２は、Ｓ６７０において輸出審査情報ＤＢ１７０に格納された輸出審査情報を含む輸出申請画面を輸出申請者端末１００に表示させる（Ｓ６７５）。
【００５９】
そして、商品又は役務の出荷時に、出荷書類出力部１８０は、出荷書類出力端末１８２を使用する出荷担当者からの要求を受けて、輸出対象の商品又は役務を出荷する際に必要となるインボイス、該非判定書、及びパラメータシート等の出荷書類を出荷書類出力端末１８２に出力する（Ｓ６８０）。ここで、パラメータシートは、税関届出が未済である場合に必要となる。そして、輸出管理部門の担当者は、これらの出荷書類を印刷して押印を行った後、出荷担当者へ送付する。出荷担当者は、輸出管理部門の担当者からこれらの出荷書類を受け取って、出荷手続を行う。
【００６０】
図７は、本実施形態に係る輸出申請者端末１００に表示される輸出申請画面の一例を示す。輸出申請画面は、輸出申請元欄７００と、顧客情報欄７１０と、対象商品欄７２０と、輸出管理確認欄７３０と、輸出審査欄７４０と、類似審査結果表示ボタン７５０とを備える。
【００６１】
輸出申請元欄７００は、輸出申請者と、申請承認者とを入力する入力欄である。輸出申請元欄７００の輸出申請者欄の内容は、輸出申請者が使用する輸出申請者端末１００上で輸出申請者により入力され、輸出申請ＤＢ１３２に格納される輸出申請情報の輸出申請者フィールドに格納される。輸出申請元欄７００の申請承認者欄は、輸出申請者が輸出申請画面の入力を終えた後に、申請承認者が使用する輸出申請者端末１００上で申請承認者により入力され、輸出申請ＤＢ１３２に格納される輸出申請情報の申請承認者フィールドに格納される。
【００６２】
顧客情報欄７１０は、商品又は役務を輸出する輸出先の顧客情報を入力する入力欄である。輸出申請元欄７００に係る顧客名欄、最終顧客名欄、及び最終仕向地欄の内容は、輸出申請者が使用する輸出申請者端末１００上で輸出申請者により入力され、輸出申請ＤＢ１３２に格納される輸出申請情報の顧客情報フィールドの対応する項目に格納される。
【００６３】
対象商品欄７２０は、輸出対象の商品又は役務を識別する商品識別情報を入力する入力欄と、輸出対象の商品又は役務の該非判定情報及び税関届出情報を表示する表示欄を有する。対象商品欄７２０は、入力欄として、商品又は役務の型式を入力する形式入力欄７２２と、商品又は役務の名称（製品名）を入力する製品名入力欄７２４とを有する。輸出申請者が輸出申請画面上で形式入力欄７２２又は製品名入力欄７２４に一の商品識別情報を入力すると、輸出対象商品識別情報選択部１１８は、類似商品識別情報選択部１１６により選択された複数の類似商品識別情報のうち、一の商品識別情報に対する類似度が最大の類似商品識別情報を、輸出申請者が一の商品識別情報を入力した入力欄に表示させる。また、輸出対象商品識別情報選択部１１８は、複数の類似商品識別情報のうち、一の商品識別情報に対する類似度が最大でない類似商品識別情報を、入力欄に表示された類似商品識別情報に代えて輸出申請者が選択可能とする。
【００６４】
すなわち例えば、輸出対象商品識別情報選択部１１８は、プルダウンボタンが押されるとこれらの類似商品識別情報を表示し、輸出申請者によりこれらの類似商品識別情報を選択可能とさせる。そして輸出対象商品識別情報選択部１１８は、輸出申請者からの指示に応じて、複数の類似商品識別情報のうち、一の商品識別情報に対する類似度が最大でない類似商品識別情報を入力欄に上書きさせる。
ここで、輸出対象商品識別情報選択部１１８は、輸出申請者が入力した一の商品識別情報に対する類似度がより高い類似商品識別情報をプルダウンメニューのより上位に表示させてよい。また輸出対象商品識別情報選択部１１８は、一の商品識別情報に対する類似度が最大の類似商品識別情報を、当該一の商品識別情報が入力欄に表示されていた色と異なる色により当該入力欄に表示してもよい。
【００６５】
以上に代えて輸出対象商品識別情報選択部１１８は、輸出申請者により入力された一の商品識別情報を入力欄に表示したまま、複数の類似商品識別情報を例えばプルダウン等により選択可能とさせてもよい。また輸出対象商品識別情報選択部１１８は、対象商品欄７２０を有するウィンドウとは異なるウィンドウに複数の類似商品識別情報を表示して、輸出申請者に選択させてもよい。
【００６６】
形式入力欄７２２及び／又は製品名入力欄７２４に入力された輸出対象の商品識別情報は、輸出申請ＤＢ１３２に格納される輸出申請情報の商品情報フィールドの対応する項目に格納される。そして、輸出対象の商品識別情報が形式入力欄７２２及び／又は製品名入力欄７２４上で選択されると、該非判定情報表示部１２２は、当該輸出対象の商品情報に対応付けられた該非判定情報及び税関届出情報を対象商品欄７２０に表示する。
【００６７】
輸出管理確認欄７３０は、輸出審査において考慮すべき輸出管理上の確認事項の情報として、輸出対象の商品又は役務の使途の機微度を入力する入力欄である。輸出管理確認欄７３０に入力された情報は、輸出申請ＤＢ１３２の輸出管理上の確認結果フィールドに格納される。
【００６８】
輸出審査欄７４０は、輸出審査者と、輸出審査責任者とを入力する入力欄である。輸出審査欄７４０の輸出審査者欄の内容は、輸出審査者が使用する輸出審査者端末１６６上で輸出審査者により入力され、輸出申請ＤＢ１３２に格納される輸出申請情報の輸出審査者フィールドに格納される。輸出審査欄７４０の輸出審査責任者欄は、輸出審査責任者が使用する輸出審査者端末１６６上で輸出審査責任者により入力され、輸出申請ＤＢ１３２に格納される輸出申請情報の輸出審査責任者フィールドに格納される。ここで、輸出審査欄７４０の輸出審査者欄及び輸出審査責任者欄は、輸出審査の結果、商品又は役務の輸出が許可された場合にのみ輸出申請画面に表示されてもよい。
【００６９】
類似審査結果表示ボタン７５０は、輸出申請画面に新たに入力された新たに入力された輸出対象の商品識別情報及び輸出先国情報と該非判定情報抽出部１２０により抽出された該非判定情報との組についての審査結果を輸出申請画面に表示させることを輸出審査情報表示部１２６に指示するためのボタンである。
【００７０】
図８は、本実施形態に係る該非判定者端末１４６に表示される該非判定依頼画面の一例を示す。該非判定依頼画面は、図６に示したＳ６３０において輸出対象の商品識別情報に対応付けられた該非判定情報が該非判定情報ＤＢ１５０に格納されていない場合に、該非判定情報表示部１２２により輸出申請者端末１００に表示される。
【００７１】
該非判定情報依頼画面は、依頼者欄８００と、対象商品欄８１０と、該非判定情報欄８２０と、該非判定者欄８３０と、輸出管理室判定欄８４０と、税関データ欄８５０と、パラメータシート欄８６０と、輸出管理室担当欄８７０とを備える。依頼者欄８００は、該非判定の依頼者である輸出申請者を入力する入力欄である。依頼者欄８００は、図７に示した輸出申請画面の輸出申請元欄７００に入力された情報に基づいて、該非判定情報表示部１２２により入力される。
【００７２】
対象商品欄８１０は、該非判定を依頼する商品又は役務を入力する入力欄である。対象商品欄８１０は、輸出対象の商品又は役務の型式、製品名、メーカ、メーカ名、及び判定依頼先をそれぞれ入力する入力欄を有する。商品又は役務の型式及び製品名の各入力欄は、図７に示した輸出申請画面の形式入力欄７２２及び製品名入力欄７２４に入力された情報に基づいて、該非判定情報表示部１２２により入力される。一方、メーカ、メーカ名、及び判定依頼先の各入力欄は、輸出申請者により輸出申請者端末１００を介して該非判定情報表示部１２２に入力される。以上に示した依頼者欄８００及び対象商品欄８１０が入力されると、該非判定情報表示部１２２は、これらの情報に基づく該非判定依頼情報を該非判定依頼ＤＢ１３０に格納させ、該非判定処理部１４０へ供給する。
【００７３】
該非判定情報欄８２０は、輸出対象の商品又は役務についての該非判定結果が該非判定者により入力される入力欄である。該非判定結果格納部１４４は、貨物判定法令欄及び役務判定法令欄に入力された、商品又は役務の該非判定において適用される法令を識別する情報と、役務判定法令又は役務判定法令の判定根拠項番欄に入力された、これらの法令のうち当該商品又は役務の該非判定に用いた根拠法文等の項番とを、該非判定情報ＤＢ１５０の該非判定結果フィールドの対応するフィールドに格納させる。
【００７４】
該非判定者欄８３０は、該非判定対象者及び判定責任者を入力する入力欄である。該非判定者欄８３０の該非判定担当者欄の内容は、該非判定者が使用する該非判定者端末１４６により入力され、該非判定情報ＤＢ１５０の該非判定結果フィールド内の該非判定者フィールドに格納される。該非判定者欄８３０の判定責任者欄の内容は、判定責任者が使用する該非判定者端末１４６により入力され、該非判定情報ＤＢ１５０の該非判定結果フィールド内の判定責任者フィールドに格納される。
【００７５】
輸出管理室判定欄８４０は、輸出管理部門の該非判定者端末１４６により入力され、該非判定情報欄８２０に入力された法令以外の補完的な法令についての該非判定情報を入力する入力欄である。税関データ欄８５０は、輸出管理部門の該非判定者端末１４６により入力され、税関へ届け出る統計品目番号、税関への届け出の要否、及び、非該当／該当商品又は役務のそれぞれについての届出状況を入力する入力欄である。税関データ欄８５０の内容は、該非判定情報ＤＢ１５０の税関届出フィールドに格納される。
【００７６】
パラメータシート欄８６０は、輸出対象の商品又は役務の該非判定結果の基となったパラメータシートを識別する識別情報が、該非判定者の該非判定者端末１４６により入力される入力欄である。パラメータシート欄８６０の内容は、該非判定情報ＤＢ１５０におけるパラメータシートの識別情報フィールドに格納される。
【００７７】
輸出管理室担当欄８７０は、輸出管理部門の担当者及び責任者を入力する入力欄である。輸出管理室担当欄８７０の内容は、担当者及び責任者の該非判定者端末１４６により入力され、該非判定情報ＤＢ１５０の輸出管理受付フィールドに格納される。
【００７８】
図９は、本実施形態に係る出荷書類出力端末１８２に出力される該非判定書の一例を示す。図６のＳ６８０において出荷書類出力部１８０は、輸出対象の商品又は役務の商品識別情報を検索キーとして該非判定情報ＤＢ１５０を検索し、当該商品識別情報に対応して格納された商品又は役務の型式及び製品名と、該非判定結果とを検索する。そして、当該商品識別情報に対応する商品又は役務の型式及び製品名と、該非判定結果として格納されている該非判定情報、貨物判定法令及び役務判定法令を識別する情報、及び役務判定法令又は役務判定法令の判定根拠項番を示す情報を記載した該非判定書を出荷書類出力端末１８２に出力する。ここで、出荷書類出力部１８０は、当該商品識別情報に対応する税関届出情報に含まれる統計品目番号等を該非判定書に記載してもよい。
【００７９】
図１０は、本実施形態に係るパラメータシートＤＢ１５２に格納されるパラメータシートの一例を示す。図６のＳ６４０において該非判定結果入力部１４２は、該非判定依頼情報の一部としてパラメータシート入力画面を該非判定者端末１４６に表示させる。ここで、パラメータシート入力画面は、輸出対象の商品又は役務が輸出規制品に該当するか否かの判断基準となる質問事項と、質問事項に対する回答欄とを有する。該非判定者端末１４６は、これらの質問事項に対する回答を該非判定者に入力させる。回答が入力されると、該非判定結果格納部１４４は、輸出対象の商品識別情報に対応付けて、回答が入力されたパラメータシートをパラメータシートＤＢ１５２に格納する。
【００８０】
商品又は役務の出荷時に、出荷書類出力部１８０は、当該商品又は役務の商品識別情報を検索キーとしてパラメータシートＤＢ１５２を検索し、検索したパラメータシートを出荷書類出力端末１８２に出力する。
【００８１】
図１１は、本実施形態に係るコンピュータ１２００のハードウェア構成の一例を示す。本実施形態に係るコンピュータ１２００は、ＣＰＵ１１００、ＲＯＭ１１１０、ＲＡＭ１１２０、通信インターフェイス１１３０、ハードディスク・ドライブ１１４０、フレキシブルディスク・ドライブ１１５０、及びＣＤ−ＲＯＭドライブ１１６０を備える。
【００８２】
ＣＰＵ１１００は、ＲＯＭ１１１０及びＲＡＭ１１２０に格納されたプログラムに基づいて動作し、各部の制御を行う。ＲＯＭ１１１０は、コンピュータ１２００の起動時にＣＰＵ１１００が実行するブートプログラムや、コンピュータ１２００のハードウェアに依存するプログラム等を格納する。ＲＡＭ１１２０は、ＣＰＵ１１００が実行するプログラム及びＣＰＵ１１００が使用するデータ等を格納する。通信インターフェイス１１３０は、通信ネットワークを介して他の装置と通信する。ハードディスク・ドライブ１１４０は、コンピュータ１２００が使用するプログラム及びデータを格納し、ＲＡＭ１１２０を介してＣＰＵ１１００に供給する。フレキシブルディスク・ドライブ１１５０は、フレキシブルディスク１１９０からプログラム又はデータを読み取り、ＲＡＭ１１２０に提供する。ＣＤ−ＲＯＭドライブ１１６０は、ＣＤ−ＲＯＭ１１９５からプログラム又はデータを読み取り、ＲＡＭ１１２０に提供する。
【００８３】
ＲＡＭ１１２０を介してＣＰＵ１１００に提供されるプログラムは、フレキシブルディスク１１９０、ＣＤ−ＲＯＭ１１９５、又はＩＣカード等の記録媒体に格納されて利用者によって提供される。プログラムは、記録媒体から読み出され、ＲＡＭ１１２０を介してコンピュータ１２００にインストールされ、コンピュータ１２００において実行される。
【００８４】
コンピュータ１２００にインストールされて実行され、コンピュータ１２００を輸出管理システム１０として機能させるプログラムは、輸出申請画面表示モジュール、類似度算出モジュール、類似商品識別情報選択モジュール、輸出対象商品識別情報選択モジュール、該非判定情報抽出モジュール、該非判定情報表示モジュール、輸出審査情報抽出モジュール、及び輸出審査情報表示モジュールを有する輸出申請処理モジュールと、該非判定結果入力モジュール、該非判定結果格納モジュール、及び該非判定情報参照モジュールを有する該非判定処理モジュールと、輸出審査申請表示モジュール、輸出審査結果格納モジュール、及び輸出審査情報表示モジュールを有する輸出審査処理モジュールと、出荷書類出力モジュールとを備える。これらのプログラム又はモジュールは、コンピュータ１２００を、輸出申請画面表示部１１２、類似度算出部１１４、類似商品識別情報選択部１１６、輸出対象商品識別情報選択部１１８、該非判定情報抽出部１２０、該非判定情報表示部１２２、輸出審査情報抽出部１２４、及び輸出審査情報表示部１２６を有する輸出申請処理部１１０と、該非判定結果入力部１４２、該非判定結果格納部１４４、及び該非判定情報参照部１９０を有する該非判定処理部１４０と、輸出審査申請表示部１６２、輸出審査結果格納部１６４、及び輸出審査情報表示部１９２を有する輸出審査処理部１６０と、出荷書類出力部１８０としてそれぞれ機能させる。
【００８５】
また、ハードディスク・ドライブ１１４０は、該非判定依頼ＤＢ１３０、輸出申請ＤＢ１３２、該非判定情報ＤＢ１５０、輸出審査情報ＤＢ１７０、及び／又はパラメータシートＤＢ１５２として用いられる。
【００８６】
以上に示したプログラム又はモジュールは、外部の記録媒体に格納されてもよい。記録媒体としては、フレキシブルディスク１１９０、ＣＤ−ＲＯＭ１１９５の他に、ＤＶＤやＰＤ等の光学記録媒体、ＭＤ等の光磁気記録媒体、テープ媒体、ＩＣカード等の半導体メモリ等を用いることができる。また、専用通信ネットワークやインターネットに接続されたサーバシステムに設けたハードディスク又はＲＡＭ等の記憶装置を記録媒体として使用し、通信ネットワークを介して外部のネットワークからプログラムをコンピュータ１２００に提供してもよい。
【００８７】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００８８】
例えば、輸出審査情報表示部１２６は、輸出申請画面に入力された輸出先国の情報に基づいて、当該輸出先国の輸入規制の有無を示す情報を選択し輸出申請画面に表示してよい。ここで、輸出先国の輸入規制とは、ＦＣＣ（米国電波規制法）又はＵＬ規格（米国商品安全基準）等の規定や、輸出先国における危険物の認定基準等である。更に、輸出審査情報表示部１２６は、この輸入規制の情報に基づいて、輸入規制をクリアするために準備すべき書類のリストを選択し、輸出申請画面に表示してもよい。
【図面の簡単な説明】
【００８９】
【図１】本発明の実施形態に係る輸出管理システム１０の構成を示す。
【図２】本発明の実施形態に係る輸出申請ＤＢ１３２に格納される情報を表形式により示す。
【図３】本発明の実施形態に係る輸出申請ＤＢ１３２に格納される情報を表形式により示す。
【図４】本発明の実施形態に係る該非判定情報ＤＢ１５０に格納される情報を表形式により示す。
【図５】本発明の実施形態に係る該非判定情報ＤＢ１５０に格納される情報を表形式により示す。
【図６】本発明の実施形態に係る輸出管理システム１０の動作フローを示す。
【図７】本発明の実施形態に係る輸出申請者端末１００に表示される輸出申請画面の一例を示す。
【図８】本発明の実施形態に係る該非判定者端末１４６に表示される該非判定依頼画面の一例を示す。
【図９】本発明の実施形態に係る出荷書類出力端末１８２に出力される該非判定書の一例を示す。
【図１０】本発明の実施形態に係るパラメータシートＤＢ１５２に格納されるパラメータシートの一例を示す。
【図１１】本発明の実施形態に係るコンピュータ１２００のハードウェア構成の一例を示す。
【符号の説明】
【００９０】
１０  輸出管理システム
１００  輸出申請者端末
１１０  輸出申請処理部
１１２  輸出申請画面表示部
１１４  類似度算出部
１１６  類似商品識別情報選択部
１１８  輸出対象商品識別情報選択部
１２０  該非判定情報抽出部
１２２  該非判定情報表示部
１２４  輸出審査情報抽出部
１２６  輸出審査情報表示部
１３０  該非判定依頼ＤＢ
１３２  輸出申請ＤＢ
１４０  該非判定処理部
１４２  該非判定結果入力部
１４４  該非判定結果格納部
１４６  該非判定者端末
１５０  該非判定情報ＤＢ
１５２  パラメータシートＤＢ
１６０  輸出審査処理部
１６２  輸出審査申請表示部
１６４  輸出審査結果格納部
１６６  輸出審査者端末
１７０  輸出審査情報ＤＢ
１８０  出荷書類出力部
１８２  出荷書類出力端末
１９０  該非判定情報参照部
１９２  輸出審査情報表示部
７００  輸出申請元欄
７１０  顧客情報欄
７２０  対象商品欄
７２２  形式入力欄
７２４  製品名入力欄
７３０  輸出管理確認欄
７４０  輸出審査欄
７５０  類似審査結果表示ボタン
８００  依頼者欄
８１０  対象商品欄
８２０  該非判定情報欄
８３０  該非判定者欄
８４０  輸出管理室判定欄
８５０  税関データ欄
８６０  パラメータシート欄
８７０  輸出管理室担当欄
１１００  ＣＰＵ
１１１０  ＲＯＭ
１１２０  ＲＡＭ
１１３０  通信インターフェイス
１１４０  ハードディスク・ドライブ
１１５０  フレキシブルディスク・ドライブ
１１６０  ＣＤ−ＲＯＭドライブ
１１９０  フレキシブルディスク
１１９５  ＣＤ−ＲＯＭ
１２００  コンピュータ
【図１】
2005063119.tif 000003
【図２】
2005063119.tif 000004
【図３】
2005063119.tif 000005
【図４】
2005063119.tif 000006
【図５】
2005063119.tif 000007
【図６】
2005063119.tif 000008
【図７】
2005063119.tif 000009
【図８】
2005063119.tif 000010
【図９】
2005063119.tif 000011
【図１０】
2005063119.tif 000012
【図１１】
2005063119.tif 000013